(57)【要約】【課題】  皮膚の汚れ落ちが良く、使用後べたつかず簡便にスキンケア効果が得られ、介護負担が軽減できる清拭方法を提供する。【解決手段】  （Ａ）界面活性剤、（Ｂ）油性成分、（Ｃ）保湿剤、及び（Ｄ）水を含む透明又はＯ／Ｗ型水希釈液、又は（ａ）一般式（１）【化１】2007014453.tif 000008で表わされるセラミド及び一般式（２）【化２】2007014453.tif 000009で表わされるセラミド類似化合物から選ばれる１種以上の物質０．００５〜２０重量％、及び（ｂ）ユーカリ（Eucalyptus globulus Labillardiere）又はフトモモ科（Myrtaceae）に属するその近縁植物からの水及び水溶性有機溶剤から選ばれる１種以上の溶剤の抽出物０．４〜２５００ppmを含有する保湿剤組成物の水希釈液を含浸させたタオルを５０〜８０℃の温度に温めて身体を拭く清拭方法。【選択図】  なし【特許請求の範囲】
【請求項１】
（Ａ）界面活性剤、（Ｂ）油性成分、（Ｃ）保湿剤、及び（Ｄ）水を含む透明又はＯ／Ｗ型水希釈液を含浸させたタオルを５０〜８０℃の温度に温めて身体を拭く清拭方法。
【請求項２】
Ｏ／Ｗ型水希釈液を含浸させたタオルを使用する請求項１記載の清拭方法。
【請求項３】
タオル含浸時のＯ／Ｗ型水希釈液が（Ｂ）油性成分を０．００５重量％以上含有する請求項１又は２記載の清拭方法。
【請求項４】
（Ａ）界面活性剤が非イオン界面活性剤から選ばれる一種以上、（Ｂ）油性成分が流動パラフィン、脂肪酸、脂肪酸とアルコールとのエステル油、高級アルコール、脂肪酸とグリセリンとのモノ・ジ・トリエステル及びシリコーン油から選ばれる一種以上、そして（Ｃ）保湿剤が多価アルコール、セラミド及びセラミド類似化合物から選ばれる一種以上である、請求項1〜３の何れか1項記載の清拭方法。
【請求項５】
（Ｃ）保湿剤としてセラミド類似化合物を含有する請求項1〜４の何れか1項記載の清拭方法。
【請求項６】
更にカラスムギ（Avena  sativa  Linne）の種子からの抽出物及びユーカリ（Eucalyptus globulus Labillardiere）又はフトモモ科（Myrtaceae）に属するその近縁植物のエキスから選ばれる１種以上の物質を含有する請求項１〜５の何れか1項記載の清拭方法。
【請求項７】
（ａ）一般式（１）
【化１】
2007014453.tif 000006
（式中、Ｒ1及びＲ2は１個以上の水酸基が置換していてもよい炭素数８〜２６の直鎖又は分岐鎖の飽和又は不飽和の炭化水素基を示す。）で表わされるセラミド及び一般式（２）
【化２】
2007014453.tif 000007
（式中、Ｒ3は炭素数１０〜２６の直鎖又は分岐鎖の飽和又は不飽和の炭化水素基を示し、Ｒ4は炭素数９〜２５の直鎖又は分岐鎖の飽和又は不飽和の炭化水素基を示す。）で表わされるセラミド類似化合物から選ばれる１種以上の物質０．００５〜２０重量％、及び（ｂ）ユーカリ（Eucalyptus globulus Labillardiere）又はそのフトモモ科（Myrtaceae）に属する近縁植物からの水及び水溶性有機溶剤から選ばれる１種以上の溶剤の抽出物０．４〜２５００ppmを含有する保湿剤組成物の水希釈液を含浸させたタオルを５０〜８０℃の温度に温めて身体を拭く清拭方法。
【発明の詳細な説明】
【技術分野】
【０００１】
本発明は、透明又はＯ／Ｗ型水希釈液を含浸させたタオルを温めて身体を拭く清拭方法に関し、更に詳しくは皮膚の汚れ落ちが良く、使用後べたつかず、簡便にスキンケア効果が得られ、介護負担が軽減できる清拭方法に関する。
【背景技術】
【０００２】
一般に高齢者介護施設では、入浴日の体調がすぐれない場合、入浴を控え、温かいお湯で絞ったタオルで身体を拭くことが行なわれている。
一方で、高齢者の皮膚は老人性乾皮症に代表されるように、乾燥していることが知られている。しかしながら、クリーム、ローションなどのスキンケア剤を全身に塗布することは時間がかかるため行なわれていない。
【０００３】
高齢者介護施設・病院等では体調不良により入浴出来ない場合や、怪我などで水で流すことができない場合、従来水や湯で濡らしたタオルなどで身体を拭く方法が用いられてきた。またその際清拭剤を水や湯で希釈したものをタオルで絞ったものを用いることもあった。水でタオルを絞ったものを清拭に用いた場合、冷たく感じ、また湯でタオルを絞った場合も清拭時冷めやすい。清拭時、冷め難くする為には、タオルを絞る際に高温の湯を使いゴム手袋など用いて絞る必要がある。しかし、身体清拭時にゴム手袋を用いるのは被介護者にとって心地よいものでなく、またゴム手袋を用いても湯の温度に限界がある。また、タオルが冷めた場合、何度も絞り直さなければならない等、介護負担が大きかった。一度に何本ものタオルを絞っておいても清拭時には冷めてしまっているなど問題があった。
【０００４】
特許文献１には油脂と界面活性剤とを繊維に含浸させた衛生製品が開示されているが、この衛生製品は乾燥した状態であるため、清拭に用いる為には予め濡らす必要がある。また特許文献２には携帯型ホットウエットタオルが開示されているが、介護施設等の多くの被介護者を対象として清拭する場合には一枚づつ包装されていると使い難い。特許文献３には清拭剤組成物が開示されており、タオルで拭き取ることが記載されているが、タオルを予め温めて清拭に供する記載はされていない。更に特許文献４ではＷ／Ｏ型の濡れ清浄製品が開示されているが、Ｗ／Ｏ型の濡れ清浄製品で身体清拭を行なった場合、使用後べたつくなどの問題があった。
【特許文献１】特開昭４７−２５９６５号公報
【特許文献２】特開平１１−３３２７８０号公報
【特許文献３】特開２０００−３６３０６２号公報
【特許文献４】特表２００１−５１２１７８号公報
【発明の開示】
【発明が解決しようとする課題】
【０００５】
本発明は皮膚の汚れ落ちが良く、使用後べたつかず簡便にスキンケア効果が得られ、介護負担が軽減できる清拭方法を提供することである。
【課題を解決するための手段】
【０００６】
本発明は、（Ａ）界面活性剤、（Ｂ）油性成分、（Ｃ）保湿剤、及び（Ｄ）水を含む透明又はＯ／Ｗ型水希釈液を含浸させたタオルを５０〜８０℃の温度に温めて身体を拭く清拭方法を提供する。
【０００７】
本発明はまた、（ａ）一般式（１）
【０００８】
【化１】
2007014453.tif 000002
【０００９】
（式中、Ｒ1及びＲ2は１個以上の水酸基が置換していてもよい炭素数８〜２６の直鎖又は分岐鎖の飽和又は不飽和の炭化水素基を示す。）で表わされるセラミド及び一般式（２）
【００１０】
【化２】
2007014453.tif 000003
【００１１】
（式中、Ｒ3は炭素数１０〜２６の直鎖又は分岐鎖の飽和又は不飽和の炭化水素基を示し、Ｒ4は炭素数９〜２５の直鎖又は分岐鎖の飽和又は不飽和の炭化水素基を示す。）で表わされるセラミド類似化合物から選ばれる１種以上の物質０．００５〜２０重量％、及び（ｂ）ユーカリ（Eucalyptus globulus Labillardiere）又はそのフトモモ科（Myrtaceae）に属するその近縁植物からの水及び水溶性有機溶剤から選ばれる１種以上の溶剤の抽出物０．４〜２５００ｐｐｍを含有する保湿剤組成物の水希釈液を含浸させたタオルを５０〜８０℃の温度に温めて身体を拭く清拭方法を提供する。
【発明の効果】
【００１２】
本発明の清拭方法は皮膚の汚れ落ちが良く、使用後べたつかず更に簡便にスキンケア効果が得られ介護負担が軽減できる。
【発明を実施するための最良の形態】
【００１３】
以下、本発明を更に詳しく説明する。
本発明に用いられる透明又はＯ／Ｗ型水希釈液を含浸させたタオルを温めて身体を拭く清拭方法において、タオルを用いることは高齢者介護施設や病院において廃棄問題がない、コスト上あるいは被介護者の皮膚への柔らかさ、面積が大きいので介護者が拭きやすい等の点から必須である。タオルの材質は綿１００％、混紡品、表面形状はループ状のもの（パイルタオル）、ループをカットしたもの（シャーリングタオル）、また用いられる糸の種類として無撚糸を使って織ったもの（無撚糸タオル）などが挙げられるが、吸湿性がある限りどのようなものでもよい。ただし、大きさとしては顔等の面積の小さい部分の清拭には一般にハンドタオル又はおしぼりタオルと呼ばれる２５〜３５ｃｍ×２５〜４５ｃｍの大きさのものが好ましく、また全身清拭やお尻清拭にはフェイスタオルなどと呼ばれる、３０〜３５ｃｍ×７０〜９０ｃｍの大きさが清拭時の扱いやすさの点から好ましい。
【００１４】
タオルを温める温度は清拭時の介護者の扱い易さ及び被介護者の心地よさの点から通常５０℃〜８０℃であり、特に６０℃〜８０℃が好ましい。従ってこのような温度に設定可能なホットウォーマーなどの機械を用いるのが好ましい。
【００１５】
本発明に用いられる透明又はＯ／Ｗ型水希釈液としては、上記成分（Ａ）〜（Ｄ）を含む従来の清拭剤、浴用剤、皮膚化粧料、皮膚外用剤、皮膚保護剤から選ばれる一種以上を希釈して用いることができるが、使用に適する濃度の製品が得られる場合には、希釈せずにそのまま用いることもできる。これらの透明又はＯ／Ｗ型とは、タオルに含浸させる際の液の状態（水希釈液）がそれぞれ透明又はＯ／Ｗ型の乳液状であることを示しており、特に透明とはタオルに含浸する際の水希釈液の外観が透明な状態であることを示し、詳しくは濁度が１０％以下であることを示す。又、Ｏ／Ｗ型の乳液状とは、水に希釈しないでそのまま用いる場合、その液がＯ／Ｗ型乳液状であることを示しているが、特に水に希釈して用いる場合は、希釈前の液の状態が透明、Ｏ／Ｗ型、Ｗ／Ｏ型のいずれの状態でもよいが希釈後の液の状態が透明又はＯ／Ｗ型であることを示している。従って、Ｗ／Ｏ型を希釈して転相乳化し、Ｏ／Ｗ型になる場合もＯ／Ｗ型水希釈液に含まれる。皮膚の汚れ落ち及びスキンケア効果の点から、Ｏ／Ｗ型水希釈液を使用することが好ましい。
【００１６】
これらの透明又はＯ／Ｗ型水希釈液は、（Ａ）界面活性剤、（Ｂ）油性成分、（Ｃ）保湿剤、及び（Ｄ）水を含有する。
【００１７】
（Ａ）成分の界面活性剤としては、非イオン性、陽イオン性、陰イオン性、両性のいずれのものも用いることができる。
非イオン性界面活性剤としては、例えばポリオキシエチレンアルキルエーテル、ポリオキシエチレンアルキルフェニルエーテル、ポリオキシエチレン脂肪酸エステル、テトラオレイン酸ポリオキシエチレンソルビット、ソルビタン脂肪酸エステル、ポリオキシエチレンソルビタン脂肪酸エステル、ショ糖脂肪酸エステル、高級脂肪酸アルカノールアミド等が用いられるが、中でもソルビタン脂肪酸エステル、ポリオキシエチレンソルビタン脂肪酸エステル及びテトラオレイン酸ポリオキシエチレンソルビットから選ばれる１種以上が好ましい。
陽イオン性界面活性剤としては通常身体に用いられる４級アンモニウム塩が挙げられる。
【００１８】
陰イオン性界面活性剤としてはアルキル又はアルケニル硫酸塩、ポリオキシエチレンアルキル又はアルケニルエーテル硫酸塩、オレフィンスルホン酸塩、アルカンスルホン酸塩、アルキル又はアルケニルエーテルカルボン酸塩、α−スルホ脂肪酸塩、アミノ酸塩型界面活性剤、リン酸エステル型界面活性剤、スルホコハク酸型界面活性剤、タウリン型界面活性剤、アミドエーテルサルフェート型界面活性剤等が挙げられる。
【００１９】
両性界面活性剤としてはベタイン型界面活性剤等が挙げられる。
【００２０】
（Ａ）成分の界面活性剤としては、非イオン性界面活性剤及び陰イオン性界面活性剤が好ましく、さらに非イオン性界面活性剤が好ましい。
【００２１】
タオルに含浸する際に、透明又はＯ／Ｗ型水希釈液中、（Ａ）成分を合計で、乳化性、皮膚の汚れ落ち及びスキンケア効果の観点から０．１〜１００００ppm含有することが好ましく、特に０．１〜１０００ppm含有することが好ましい。
【００２２】
（Ｂ）成分の油性成分としては、植物油、動物油、合成油及びこれらの誘導体が挙げられる。例えば、大豆油、ホホバ油、オリーブ油、ヤシ油、これらに水素添加して得られる硬化油、スクワラン、流動パラフィン、ワセリン、ラウリン酸、ミリスチン酸、パルミチン酸又はリノール酸などの脂肪酸、これらの脂肪酸とメタノール、エタノール、イソプロパノール、プロパノール又はブタノールとのエステル油、これらの脂肪酸とグリセリンのモノ−、ジ−又はトリ−エステル油、ラウリルアルコール、セチルアルコール、ステアリルアルコール、オレイルアルコールなどの高級アルコール、コレステロール、ジメチルポリシロキサン、変性シリコーン油などのシリコーン油が挙げられる。
【００２３】
タオルに含浸する際に透明又はＯ／Ｗ型水希釈液中、（Ｂ）成分を合計でスキンケア効果の観点から０．００５重量％以上含有することが好ましく、特に０．０１重量％以上、更に０．０３重量％以上含有することが好ましく、また、べたつきのなさの観点から、１重量％以下が好ましく、特に０．５重量％以下が好ましい。
【００２４】
タオルに含浸する際に透明又はＯ／Ｗ型水希釈液中、〔（Ｂ）成分合計〕／〔（Ａ）成分合計〕の重量比率はスキンケア効果の観点から１〜１００が好ましく、特に２〜７５が好ましい。
【００２５】
（Ｃ）成分の保湿剤としては例えば、グリセリン、プロピレングリコール、ジプロピレングリコール、１，３−ブチレングリコールなどの多価アルコール類など通常化粧品で用いられるものの他、前記一般式（1）で表されるセラミド及び前記一般式（２）で表わされるセラミド類似化合物が挙げられる。特に一般式（２）で表されるセラミド類似化合物を含有することがスキンケア効果の点から好ましい。
【００２６】
タオルに含浸する際に透明又はＯ／Ｗ型水希釈液中、（Ｃ）成分を合計で、スキンケア効果とべたつきのなさの観点から０．０１〜１００００ppm含有することが好ましく、特に０．０１〜１０００ppm含有することが好ましい。
【００２７】
本発明の透明又はＯ／Ｗ型水希釈液は、更に各種植物抽出エキスを含むことが好ましく、特にカラスムギ(Avena  sativa  Linne)エキス、又はユーカリ（Eucalyptus globulus Labillardiere）又はフトモモ科（Myrtaceae）に属するその近縁植物のエキスから選ばれる１種以上が好ましい。なかでも、カラスムギエキスとユーカリ又はフトモモ科に属するその近縁植物のエキスの両方を併用するのがより好ましい。
【００２８】
本発明の透明又はＯ／Ｗ型水希釈液には、更に通常洗浄剤や化粧品に使用される防腐剤、抗炎症剤、酸化防止剤、キレート剤、pH調整剤、殺菌剤、香料、色素等を含むことができる。
【００２９】
本発明の別の態様である、保湿剤組成物の水希釈液を含浸させたタオルを５０〜８０℃の温度に温めて身体を拭く清拭方法に使用する該保湿剤組成物の成分（ａ）は、一般式（１）で表わされるセラミド、又は一般式（２）で表わされるセラミド類似化合物から選ばれる物質であって、２種以上を併用してもよく、その際、セラミドとセラミド類似化合物との併用であってもよい。
【００３０】
一般式（１）で表わされるセラミドの、Ｒ1、Ｒ2で示される炭化水素基としては、例えば、オクチル、ノニル、デシル、ドデシル、ウンデシル、トリデシル、テトラデシル、ペンタデシル、ヘキサデシル、ヘプタデシル、オクタデシル、ノナデシル、エイコシル、ヘンエイコシル、ドコシル、トリコシル、テトラコシル、ペンタコシル、ヘキサコシル、ノネニル、デセニル、ドデセニル、ウンデセニル、トリデセニル、テトラデセニル、ペンタデセニル、ノナデセニル、エイコセニル、ヘンエイコセニル、ドコセニル、トリコセニル、テトラコセニル、ペンタコセニル、ヘキサコセニル、ノナジエニル、デカジエニル、ドデカジエニル、ウンデカジエニル、トリデカジエニル、テトラジエニル、ペンタデカジエニル、ヘキサデカジエニル、ヘプタデカジエニル、オクタデカジエニル、ノナデカジエニル、エイコサジエニル、ヘンエイコサジエニル、ドコサジエニル、トリコサジエニル、テトラコサジエニル、ペンタコサジエニル、ヘキサコサジエニル、２−ヘキシルデシル、２−オクチルウンデシル、２−デシルテトラデシル基及びこれらの基に１〜３個の水酸基が置換した基等が挙げられる。本発明においてＲ1及びＲ2としては炭素数８〜２６のアルキル基、特に炭素数１０〜１８のアルキル基が好ましい。なお、Ｒ1とＲ2とは同一でも異なっていてもよい。
【００３１】
一般式（２）で表わされるセラミド類似化合物のＲ3で示される炭化水素基としては、Ｒ1及びＲ2において水酸基が置換している基及び炭素数８〜９の炭化水素基を除いた基が挙げられ、Ｒ4で表わされる基としては、Ｒ1及びＲ2において水酸基が置換している基及び炭素数８と２６の炭化水素基を除いた基が挙げられる。本発明においてＲ3としては炭素数１０〜１８のアルキル基が好ましく、またＲ4としては炭素数９〜１７のアルキル基が好ましい。なお、Ｒ3とＲ4とは同一であっても異なっていてもよい。
【００３２】
一般式（２）で表わされるセラミド類似化合物は、公知の方法〔例えば、ポリッシュ・ジャーナル・オブ・ケミストリー(Pol. J. Chem.)52. 1059(1978)、同52. 1283(1978)、特開昭５４−１１７４２１号公報、特開昭５４−１４４３０８号公報、特開昭５４−１４７９３７号公報、特開昭６２−２２８０４８号公報、特開昭６３−１９２７０３号公報、特開昭６３−２１６８５２号公報〕に従って製造することができる。
【００３３】
保湿剤組成物の成分（ａ）として、セラミドとしては、天然セラミド類、合成セラミド類等、セラミド類似化合物としては、合成等により得られるそれらの類縁体（擬セラミド）等が、肌のかさつき防止及びかゆみ防止の点から特に好ましい。
【００３４】
保湿剤組成物中の成分（ａ）の含有量は、肌のかさつき防止及びかゆみ防止の観点から、組成物中に０．００５〜２０重量％（以下、単に％と記載する）が好ましく、０．０１〜１０％がより好ましく、０．０３〜１０％が更に好ましく、０．１〜５％が特に好ましい。成分（ａ）は、２種以上含有してもよく、その場合は合計した量を含有量とする。
【００３５】
保湿剤組成物の成分（ｂ）は、ユーカリ（Eucalyptus globulus Labillardiere）又はフトモモ科（Myrtaceae）に属するその近縁植物から、水及び水溶性有機溶剤から選ばれる１種以上の溶剤を使用して抽出して得られる物質である。ユーカリの近縁植物としては、ユーカリプタス ラディアタ（Encalyptus radiata）、ユーカリプタス シトリオドラ（Eucalyptus citriodora）、ユーカリプタス デベス（Eucalyptus dives）、ユーカリプタス ポリブラクテア（Eucalyptus polybractea）、ユーカリプタス ビニナリス（Eucalyptus vininalis）等が挙げられる。これら植物の抽出部位は、葉が好ましい。
【００３６】
保湿剤組成物の成分（ｂ）の抽出溶剤として水及び水溶性有機溶剤が用いられる。ここで用いられる水溶性有機溶媒としては、例えばメタノール、エタノール、プロパノール、ブタノール、プロピレングリコール、１，３−ブチレングリコール等が挙げられるが、就中、エタノール、ブタノール、プロピレングリコール、１，３−ブチレングリコールが好ましい。水溶性有機溶剤は、２種以上を併用していてもよい。また水と組み合せて使用するのが好ましい。
【００３７】
保湿剤組成物中の成分（ｂ）の含有量は、肌のかさつき防止及びかゆみ防止の観点から、組成物中に水及び水溶性有機溶剤を除いた抽出物換算量（蒸発残分）で０．４〜２５００ppmが好ましく、２〜１５００ppmがより好ましく、４〜１０００ppmが更に好ましく、５〜７００ppmが特に好ましい。また成分（ｂ）は２種以上を含有してもよく、その場合は合計した量を含有量とする。
【００３８】
保湿剤組成物中の成分（ａ）と成分（ｂ）の含有重量比率（ａ）／（ｂ）は、肌の保湿効果、かさつき改善効果、肌のかゆみや湿疹の改善効果の観点から、１／１００００〜１００００／１が好ましく、１／５０００〜５０００／１がより好ましく、１／１０００〜１０００／１が更に好ましく、１／５００〜５００／１が特に好ましく、１／１００〜１００／１が最も好ましい。
【００３９】
保湿剤組成物には、成分（ａ）及び成分（ｂ）の他に成分（ｃ）（イ）カラスムギ（Avena sativa Linne）の種子からの水及び水溶性有機溶剤から選ばれる１種以上の溶剤の抽出物、（ロ）米胚芽油及び（ハ）コレステロールとジカルボン酸のモノエステルから選ばれる物質を含有させると肌のかさつき防止及びかゆみ防止の点で好ましい。
【００４０】
成分（ｃ）のうち、（イ）カラスムギ（Avena sativa Linne）の種子からの水及び水溶性有機溶剤から選ばれる１種以上の溶剤の抽出物の抽出溶剤に使用する水溶性有機溶剤としては、例えばメタノール、エタノール、プロパノール、ブタノール、プロピレングリコール、１，３−ブチレングリコール等が挙げられるが、就中、エタノール、ブタノール、プロピレングリコール、１，３−ブチレングリコールが好ましい。水溶性有機溶剤は２種以上を併用して用いてもよく、更に水と組み合せることが好ましい。
【００４１】
原料となるカラスムギの種子は、そのまま抽出に用いるより、粗末又は粉末とすることが好ましい。カラスムギの種子は上記抽出溶剤に浸漬（好ましくはカラスムギの種子に対し、溶剤を１〜２０重量倍を加えて）し、常法により抽出を行なうが、必要に応じて５０℃程度まで加温して抽出効率を高めてもよい。また、抽出物をそのまま又は濃縮した後、溶剤で分画し、有効画分のみ取り出すと、より少量で高い効果を期待することができる。ここで分画に用いる溶剤としては、水と酢酸エチルが好ましく、この水画分を用いることが好ましい。
【００４２】
このようにして得られた抽出物は、必要に応じて濃縮し、更に賦形剤により粉末化してもよい。ここで賦形剤としては、一般的にはデキストリン等の多糖類やケイ酸カルシウム等の無機粉体が挙げられる。
【００４３】
成分（ｃ）が、（イ）である場合の含有量は、肌のかゆみや湿疹防止の観点から、水及び水溶性有機溶剤を除いた抽出物換算量（蒸発残分）で、組成物中に３〜９０００ppmが好ましく、１５〜６０００ppmがより好ましく、３０〜３０００ppmが更に好ましく、３０〜１５００ppmが特に好ましい。
【００４４】
保湿剤組成物中の成分（ｃ）の（ロ）米胚芽油は、イネ（Oryza sativa Linne）の胚芽より得られた脂肪油である。成分（ｃ）が（ロ）の米胚芽油である場合の含有量は、肌のかさつき防止の観点から、０．１〜５０％が好ましく、０．５〜３０％より好ましく、１〜３０％が更に好ましく、１〜２０％が特に好ましい。
【００４５】
保湿剤組成物中の成分（ｃ）の（ハ）コレステロール類とジカルボン酸のモノエステルは、下記一般式（３）
【００４６】
【化３】
2007014453.tif 000004
【００４７】
〔式中、−Ｒ5−は−（ＣＨ2）n−（ｎは２〜１０の整数を示す）又は、−ＣＨ2−ＣＨ（Ｒ6）−（Ｒ6は炭素数１〜１８の直鎖若しくは分岐鎖のアルキル基又はアルケニル基を示す）を示し、Ｒ7はコレステロール類の水酸基プロトンを除く残基を示す〕で表わされ、２種以上を併用してもよい。
【００４８】
一般式（３）において、Ｒ5を示す−（ＣＨ2）n−の具体例としては、エチレン、トリメチレン、テトラメチレン、ペンタメチレン、ヘキサメチレン、ヘプタメチレン、オクタメチレン、ノナメチレン、デカメチレン等が挙げられ、特にエチレン、トリメチレン基が好ましい。また、Ｒ6の具体例としては、メチル、エチル、プロピル、イソプロピル、ｎ−ブチル、ｔｅｒｔ−ブチル、ペンチル、ヘキシル、オクチル、ノニル、デシル、ドデシル、ウンデシル、トリデシル、テトラデシル、ペンタデシル、ヘキサデシル、ヘプタデシル、オクタデシル、プロペニル、ブテニル、ペンテニル、ヘキセニル、ヘプテニル、オクテニル、ノネニル、デセニル、ドデセニル、ウンデセニル、トリデセニル、テトラデセニル、ペンタデセニル、ヘキサデセニル、ヘプタデセニル、オクタデセニル基等が挙げられ、特にデセニル、ウンデセニル、ドデセニル、トリデセニル、テトラデセニル、ペンタデセニル、ヘキサデセニル、ヘプタデセニル、オクタデセニル基が好ましい。また、コレステロール類としては、例えば、コレステロール、β−シトステロール、ラノステロール、エルゴステロール等が挙げられる。
【００４９】
（ハ）は公知のものを用いることができ、例えば、コレステロールヘミコハク酸エステル、コレステロールヘミグルタル酸エステル、コレステロールヘミマレイン酸エステル等（例えば、花王株式会社製ＣＨＡＳ）が挙げられる。
【００５０】
成分（ｃ）が、（ハ）である場合の含有量は、肌のかさつき防止の観点から、組成物中に０．０１〜３０％が好ましく、０．０５〜２０％がより好ましく、０．１〜１０％が更に好ましく、０．１〜５％が特に好ましい。
【００５１】
成分（ｃ）は、２種以上併用してもよく、その場合は各々の好ましい量を含有すればよい。
【００５２】
保湿剤組成物に、成分（ａ）及び成分（ｂ）、更に必要により使用する成分（ｃ）の保湿剤の組み合せに加えて成分（ｄ）油性成分を含有させると、かさつき防止の点で好ましい。本発明で使用する成分（ｄ）の油性成分は、植物油、動物油、合成油及びこれらの誘導体から選択される。例えば、大豆油、ホホバ油、オリーブ油、ヤシ油、これらに水素添加して得られる硬化油、スクワラン、流動パラフィン、ワセリン、ラウリン酸、ミリスチン酸、パルミチン酸、ステアリン酸、リノール酸、オレイン酸等の脂肪酸、これらの脂肪酸とメタノール、エタノール、イソプロパノール、プロパノール、ブタノールのエステル油、また、これらの脂肪酸とグリセリンのモノ−、ジ−、トリ−エステル油、ラウリルアルコール、セチルアルコール、ステアリルアルコール、オレイルアルコール等の高級アルコール、コレステロール、ジメチルポリシロキサン、変性シリコーン油等のシリコーン油等（特開平８−３４７２４号公報、特開平９−１１８６１４号公報）が好ましいものとして挙げられる。
【００５３】
保湿剤組成物中の成分（ｄ）の含有量は、肌の保湿効果及びかさつき防止の観点から、組成物中に０．０１〜９９％が好ましく、０．０５〜９０％がより好ましく、０．１〜８５％が更に好ましく、０．５〜８０％が特に好ましい。
【００５４】
また、保湿剤組成物は、界面活性剤を配合することもでき、これにより保湿剤組成物を水で希釈したとき、油性成分が分離しないようにすると共に、使用感を大幅に向上させることができる。
【００５５】
界面活性剤としては、非イオン性、陽イオン性、陰イオン性、両性の天然又は合成のいずれのものも用いることができる。このうち、非イオン性界面活性剤としては、例えばポリオキシエチレンアルキルエーテル、ポリオキシエチレンアルキルフェニルエーテル、ポリオキシエチレン脂肪酸エステル、ポリオキシエチレンソルビタン脂肪酸エステル、テトラオレイン酸ポリオキシエチレンソルビット、ソルビタン脂肪酸エステル、ショ糖脂肪酸エステル、高級脂肪酸アルカノールアミド等が、陽イオン性界面活性剤としては、代表的なものとして第４級アンモニウム塩が挙げられる。第４級アンモニウム塩は通常身体に用いられるものが用いられるが、特に分岐鎖第４級アンモニウム塩を含有する（特開昭６１−２６７５０５号公報に記載）のが好ましい。陰イオン性界面活性剤としては、直鎖又は分岐鎖アルキルベンゼンスルホン酸塩、アルキル又はアルケニル硫酸塩、エチレンオキサイド及び／又はプロピレンオキサイドを付加したアルキル又はアルケニルエーテル硫酸塩、オレフィンスルホン酸塩、アルカンスルホン酸塩、飽和又は不飽和脂肪酸塩、エチレンオキサイド及び／又はプロピレンオキサイドを付加したアルキル又はアルケニルエーテルカルボン酸塩、α−スルホ脂肪酸塩エステル、アミノ酸型界面活性剤、リン酸エステル型界面活性剤、スルホコハク酸型界面活性剤、タウリン型界面活性剤、アマイドエーテルサルフェート型界面活性剤等が挙げられ、両性界面活性剤としてはスルホン酸型両性界面活性剤、ベタイン型両性界面活性剤等が挙げられる。
【００５６】
これら界面活性剤は、保湿剤組成物中に０．１〜５０％、特に２〜３０％配合するのが好ましい。
【００５７】
また上記のようにして調製された保湿剤組成物に０．０１〜９０％の範囲で水を加えて組成物の安定性を増したり、組成物を乳化させた形態とすることもできる。
【００５８】
保湿剤組成物には、更に通常入浴剤に使用されている公知の無機化合物及び無機塩類；有機酸及びその塩類；生薬、漢方薬、ハーブ類；精油、香料類；色素類；ビタミン類；多価アルコール類；微粉体；抗炎症剤；防腐剤；酸化防止剤；キレート剤；蛋白分解酵素；湯の花；イオウ；カゼイン；サリチル酸ナトリウム；入り糠；雲母末；デキストリン；中性白土；脱脂粉乳；尿素；アミノ酸類等の入浴剤用原料を配合することができる。保湿剤組成物は、上記成分を常法により混合機等にて均一に攪拌混合し、粉体、顆粒、錠剤、液体、乳化物等任意の剤形とすることができる。
【００５９】
保湿剤組成物はタオルに含浸させる際、水に溶解させて水希釈液として用いることができる。その場合、肌の保湿効果、かさつき改善効果、肌のかゆみや湿疹の改善効果の観点から、水に対して該保湿剤組成物が０．０００１〜５％、好ましくは０．００１〜１％、更に好ましくは０．００５〜１％、特に好ましくは０．００５〜０．５％となるように使用する。
【実施例】
【００６０】
以下、実施例を挙げて更に詳細に説明する。
実施例１〜５、比較例１〜４
表１に示す透明水希釈液〔実施例４又は実施例５〕又はＯ／Ｗ型水希釈液〔実施例１〜３〕を常法によりそれぞれの希釈倍率に基づきポリバケツで調製し、３３cm×８０cmのタオル（材質は綿１００％で、形状はループ状）をその中に浸漬させ、含浸率が２３０％になるように絞った。そののちチャックのついたポリ袋に入れて、ホットウォーマーにて所定の温度に温めて使用した。介護者１０人に（1）皮膚の汚れ落ち（2）清拭後のべたつき、（3）スキンケア効果、（4）清拭時の介護負担の程度を以下の基準で評価した。尚、比較例１又は比較例２は水のみを含み、比較例３はＷ／Ｏ型水希釈液を、比較例４は透明水希釈液を常法によりそれぞれの希釈倍率に基づき調製し、比較例１〜４はタオルを絞った時の水希釈液の温度が所定の温度であり、かつホットウォーマーで温めない以外は、実施例と同様に評価した。
【００６１】
（１）皮膚の汚れ落ち
表１に示す組成物を高齢者8人の顔、手(腕)と足の清拭にそれぞれ使用し、その際の皮膚の汚れ落ちの官能評価を以下の基準でおこなった。
５：汚れ落ちが良いと感じた。
４：汚れ落ちがやや良いと感じた。
３：汚れ落ちが普通と感じた。
２：汚れ落ちがやや良くないと感じた。
１：汚れ落ちが良くないと感じた。
結果は介護者１０名の平均値を、以下の基準により皮膚の汚れ落ちとして表した。
◎：平均値が４．０以上（良好）
○：平均値が３．２〜３．９（やや良好）
△：平均値が２．５〜３．１（普通）
×：平均値が２．４以下（不良）
【００６２】
（２）清拭後のべたつき
表１に示す組成物を高齢者８人の手(腕)と足の清拭にそれぞれ使用し、その際の清拭後のべたつきの官能評価を以下の基準でおこなった。
５：べたつかないと感じた。
４：べたつきがややないと感じた。
３：べたつきが普通と感じた。
２：べたつきがややあると感じた。
１：べたつきがあると感じた。
結果は介護者１０名の平均値を、以下の基準により清拭後のべたつきとして表した。
◎：平均値が４．０以上（べたつきがなく良好）
○：平均値が３．２〜３．９（べたつきがややなく良好）
△：平均値が２．５〜３．１（普通）
×：平均値が２．４以下（べたつきがあり不良）
【００６３】
（３）スキンケア効果
表１に示す組成物を高齢者８人の手(腕)と足の清拭にそれぞれ使用し、その際のスキンケア効果の官能評価を以下の基準でおこなった。
５：スキンケア効果があると感じた。
４：スキンケア効果がややあると感じた。
３：スキンケア効果の程度が普通と感じた。
２：スキンケア効果がややないと感じた。
１：スキンケア効果がないと感じた。
結果は介護者１０名の平均値を、以下の基準によりスキンケア効果として表した。
◎：平均値が４．０以上（スキンケア効果があり良好）
○：平均値が３．２〜３．９（スキンケア効果がややあり良好）
△：平均値が２．５〜３．１（スキンケア効果が普通）
×：平均値が２．４以下（スキンケア効果はなく不良）
【００６４】
（４）清拭時の介護負担
表１に示す組成物を高齢者８人の手(腕)と足の清拭にそれぞれ使用し、その際の介護負担の官能評価を以下の基準でおこなった。
５：介護負担が小さいと感じた。
４：介護負担がやや小さいと感じた。
３：介護負担が普通と感じた。
２：介護負担がやや大きいと感じた。
１：介護負担が大きいと感じた。
結果は介護者１０名の平均値を、以下の基準により清拭時の介護負担として表した。
◎：平均値が４．０以上（介護時の負担が少なく良好）
○：平均値が３．２〜３．９（介護時の負担がやや少なく良好）
△：平均値が２．５〜３．１（普通）
×：平均値が２．４以下（介護時の負担が感じられ不良）
【００６５】
【表１】
2007014453.tif 000005